(57)【要約】【課題】小型化が可能で、かつ原稿の取り忘れによる原稿画像の読取り不良を防止することのできる画像読取装置及び画像形成装置を提供する。【解決手段】プラテンガラス６上の載置原稿Ｄ２を押さえる白地板２を、載置原稿Ｄ２の画像を読み取る際には、載置原稿Ｄ２を押さえる第１位置に移動させ、搬送原稿Ｄ１を読取る際には、プラテンガラス６の一側部の下方に移動した画像読取部１６による原稿画像の読み取りが可能な第２位置に移動させる。そして、プラテンガラス上の原稿が取り忘れられた状態で搬送原稿Ｄ１の画像を読取る際には、予め白地板２に設けられた移動部材２６により、白地板２の第１位置から第２位置への移動に伴い、プラテンガラス上の取り忘れ原稿を、画像読取部１６による原稿画像の読み取りを妨げない位置に移動させる。【選択図】図４
2011119816.tif 000002
【特許請求の範囲】
【請求項１】
原稿が載置される載置台ガラスと、前記載置台ガラスに沿って原稿を搬送する原稿搬送部を有し、前記載置台ガラスに載置された原稿を押える開閉可能な原稿押圧部と、前記載置台ガラスの下方に移動可能に配置され、前記載置台ガラスに載置された原稿及び前記原稿搬送部により前記載置台ガラスに沿って搬送される原稿の画像を読み取る画像読取部と、を備え、搬送原稿の画像を読み取る際には前記画像読取部を前記載置台ガラスの一側部の下方に移動させ、載置原稿の画像を読み取る際には前記画像読取部を前記載置台ガラスに沿って移動させる画像読取装置において、
前記原稿押圧部は、搬送原稿の画像を読み取る際、予め、載置台ガラス上の取り忘れ原稿を、前記画像読取部による原稿画像の読み取りを妨げない位置に移動させる原稿移動部を備えていることを特徴とする画像読取装置。
【請求項２】
前記原稿押圧部は、
前記載置台ガラスに載置された原稿を押さえる原稿押さえ部材と、
前記原稿押さえ部材を、前記載置原稿の画像を読み取る際には、載置原稿を押さえる第１位置に移動させ、搬送原稿を読取る際には、前記載置台ガラスの一側部の下方に移動した前記画像読取部による原稿画像の読み取りが可能な第２位置に移動させる原稿押さえ部材移動部と、を備え、
前記原稿移動部を、前記原稿押さえ部材の前記載置台ガラスの一側部側に設け、かつ載置原稿の画像を読み取る際には、前記原稿移動部を、前記画像読取部による載置原稿の画像の読み取りを妨げない位置に移動させ、前記原稿押さえ部材が前記第１位置から前記第２位置に移動する際には、前記原稿押さえ部材と共に前記原稿移動部を、前記載置台ガラス上の取り忘れ原稿と一体的に移動させることを特徴とする請求項１記載の画像読取装置。
【請求項３】
前記原稿移動部は、前記載置台ガラスに載置された原稿を押さえると共に、前記載置原稿の画像を読み取る際には、載置原稿を押さえる第１位置に移動され、搬送原稿を読取る際には、前記載置台ガラス上の取り忘れ原稿と一体的に、前記載置台ガラスの一側部の下方に移動した前記画像読取部による原稿画像の読み取りが可能な第２位置に移動される原稿押さえ部材であることを特徴とする請求項１記載の画像読取装置。
【請求項４】
前記原稿押さえ部材は、前記原稿押さえ部材が前記第２位置に位置する際、前記載置台ガラスの一側部の下方に移動した前記画像読取部に対応する位置に光通過部を設けた往復移動可能なベルト部材であることを特徴とする請求項３記載の画像読取装置。
【請求項５】
前記ベルト部材の取り忘れ原稿との間の摩擦係数の方が、取り忘れ原稿とプラテンガラス間の摩擦係数よりも大きいことを特徴とする請求項４記載の画像読取装置。
【請求項６】
前記原稿押圧部は、
前記載置台ガラスに載置された原稿を押さえる原稿押さえ部材と、
前記原稿押さえ部材を、前記載置原稿の画像を読み取る際には、載置原稿を押さえる第１位置に移動させ、搬送原稿を読取る際には、前記載置台ガラスの一側部の下方に移動した前記画像読取部による原稿画像の読み取りが可能な第２位置に移動させる原稿押さえ部材移動部と、を備え、
前記原稿移動部は、搬送原稿の画像を読取る際、取り忘れ原稿を前記画像読取部による原稿画像の読み取りを妨げない位置に搬送する原稿搬送部材と、前記原稿搬送部材を支持し、前記原稿押さえ部材が前記第１位置に位置する際には、前記原稿押さえ部材に当接させ、前記原稿押さえ部材が前記第１位置から前記第２位置に移動する際には、取り忘れ原稿に当接させる原稿搬送部材支持部と、を有することを特徴とする特徴とする請求項１記載の画像読取装置。
【請求項７】
請求項１ないし６のいずれか１項に記載の画像読取装置と、前記画像読取装置により読み取った画像情報に基づいて画像を形成する画像形成部と、を備えたことを特徴とする画像形成装置。
【発明の詳細な説明】
【技術分野】
【０００１】
本発明は、画像読取装置及び画像形成装置に関し、特に流し読み又は固定読みにて原稿を読み取るものに関する。
【背景技術】
【０００２】
従来、デジタル複写機、プリンタ、ファクシミリ等の画像形成装置においては、画像形成部と、画像読取装置とを備え、画像形成部により、画像読取装置によって読み取った画像情報に基づいて画像を形成するようにしたものがある。
【０００３】
この画像読取装置の読み取り方法として、原稿をプラテンガラス上に載置した後、圧板により原稿をプラテンガラスに密着させ、この状態で画像読取部を走査させることにより画像を読み取る方法（以下、固定読みという）がある。
【０００４】
また、プラテンガラスの所定の画像読取位置の下方に画像読取部を固定し、この画像読取位置上を、原稿を一定の速度で搬送することにより、画像を読み取る方法（以下、流し読みという）がある。なお、このような流し読みの際、画像読取位置を通過した原稿は、画像読取位置の下流側に設けられたガイド部材に受け渡された後、排紙ローラ対によって装置外へ排出される。
【０００５】
ところで、このような従来の画像読取装置においては、搬送原稿を流し読みにて読み取る搬送原稿読取部と、プラテンガラスに載置された原稿を固定読みにて読み取る静止原稿読取部とを別々に設けているものがある（特許文献１参照）。
【０００６】
図１２は、このような従来の画像読取装置の斜視図である。図１２において、１２０は搬送原稿を流し読みにて読み取る搬送原稿読取部、１２２は搬送原稿読取部１２０とは別に設けられ、プラテンガラス１２１に載置された原稿を固定読みにて読み取る静止原稿読取部である。なお、図１２において、１２５はプラテンガラス１２１に載置された原稿をプラテンガラス１２１に押し付けるための圧板ユニット、１２４は圧板ユニット１２５の底面に設けられ、固定読みを行う際、原稿をプラテンガラス１２１に押し付けるための白色板である。
【０００７】
そして、静止原稿読取部１２２にて原稿画像を読み取る場合は、プラテンガラス１２１の一端に原稿を合わせて原稿をプラテンガラス上に載置した後、圧板ユニット１２５を閉じ、この後、不図示の画像読取部を走査させるようにする。また、流し読みにより原稿画像を読み取る場合は、原稿の搬送を開始する前に、予め搬送原稿読取部１２０の下方に画像読取部を移動させて固定した後、この画像読取位置上を、原稿を一定の速度で搬送するようにする。
【０００８】
しかし、このように静止原稿読取部１２２と、搬送原稿読取部１２０を、それぞれ別に設ける場合、装置幅が大きくなる。そこで、静止原稿読取部１２２の一側部に搬送原稿読取部１２０を設けるようにすれば、画像読取装置の小型化を図ることができる（特許文献２参照）。
【先行技術文献】
【特許文献】
【０００９】
【特許文献１】特開２００３−４６７２２号公報
【特許文献２】特開２００４−１１２３００号公報
【発明の概要】
【発明が解決しようとする課題】
【００１０】
しかし、このように静止原稿読取部の一側部に搬送原稿読取部を設けるようにした従来の画像読取装置において、静止原稿読取部に載置した原稿を取り忘れる場合がある。そして、このように原稿を取り忘れた状態で、流し読みが行われると、画像読取部は、取り忘れた原稿の画像を読み取ってしまい、搬送原稿の正しく読み取ることができないという問題があった。
【００１１】
そこで本発明は、このような状況に鑑みてなされたものであり、小型化が可能で、かつ原稿の取り忘れによる原稿画像の読取り不良を防止することのできる画像読取装置及び画像形成装置を提供することを目的とするものである。
【課題を解決するための手段】
【００１２】
本発明は、原稿が載置される載置台ガラスと、前記載置台ガラスに沿って原稿を搬送する原稿搬送部を有し、前記載置台ガラスに載置された原稿を押える開閉可能な原稿押圧部と、前記載置台ガラスの下方に移動可能に配置され、前記載置台ガラスに載置された原稿及び前記原稿搬送部により前記載置台ガラスに沿って搬送される原稿の画像を読み取る画像読取部と、を備え、搬送原稿の画像を読み取る際には前記画像読取部を前記載置台ガラスの一側部の下方に移動させ、載置原稿の画像を読み取る際には前記画像読取部を前記載置台ガラスに沿って移動させる画像読取装置において、前記原稿押圧部は、搬送原稿の画像を読み取る際、予め、載置台ガラス上の取り忘れ原稿を、前記画像読取部による原稿画像の読み取りを妨げない位置に移動させる原稿移動部を備えていることを特徴とするものである。
【発明の効果】
【００１３】
本発明のように、取り忘れ原稿がある場合でも、取り忘れ原稿を、原稿移動部によって予め画像読取部による原稿画像の読み取りを妨げない位置に移動させることにより、小型化が可能で、かつ原稿の取り忘れによる原稿画像の読取り不良を防止することができる。
【図面の簡単な説明】
【００１４】
【図１】本発明の第１の実施の形態に係る画像読取装置の斜視図。
【図２】上記画像読取装置の断面図。
【図３】上記画像読取装置の圧板ユニットを開いた状態を示す斜視図。
【図４】上記画像読取装置の要部拡大図。
【図５】上記画像読取装置の制御ブロック図。
【図６】上記画像読取装置に設けられた白地板、突き当て部材、移動部材等を説明する図。
【図７】上記白地板の搬送原稿を読み取る流し読みの際の動作について説明する図。
【図８】本発明の第２の実施の形態に係る画像読取装置の要部拡大図。
【図９】本発明の第３の実施の形態に係る画像読取装置の断面図。
【図１０】上記画像読取装置に設けられたベルト部材の構成を説明する図。
【図１１】上記ベルト部材の搬送原稿を読み取る際の移動動作について説明する図。
【図１２】従来の画像読取装置の圧板ユニットを開いた状態を示す斜視図。
【発明を実施するための形態】
【００１５】
以下、本発明を実施するための形態について図面を用いて詳細に説明する。図１は、本発明の第１の実施の形態に係る画像読取装置の斜視図、図２はその断面図である。図１及び図２において、５０は画像読取装置であり、この画像読取装置５０は、読取ユニット５１、原稿搬送部である原稿読取搬送部５を備えた原稿押圧部である圧板ユニット１及び操作部１２を備えている。読取ユニット５１は、原稿を読み取るためのプラテンガラス（載置台ガラス）６と、プラテンガラス６の下方に配され、プラテンガラス６の下方を往復移動する画像読取部１６とを備えている。
【００１６】
圧板ユニット１は、プラテンガラス上（載置台ガラス上）に載置された原稿の画像を読み取る固定読みの際、原稿をプラテンガラス６に押し付けるためのものである。なお、以下の説明においては、このようにプラテンガラス上に載置された原稿を、載置原稿という。そして、この圧板ユニット１は、図３に示すように読取ユニット５１のユニット本体５２に、ヒンジ３を介して開閉可能に保持されている。この圧板ユニット１の底面１Ａには固定読みの際、プラテンガラス上の載置原稿Ｄ２の動きを規制するよう載置原稿Ｄ２をプラテンガラス６に密着させる原稿押さえ部材である白地板２が取り付けられている。なお、この白地板２は、載置原稿Ｄ２を均一に押えることができるように、不図示の押圧部材により原稿側に押圧されている。
【００１７】
また、圧板ユニット１の上部には複数枚の原稿Ｄ１が載置可能な原稿載置台４が設けられており、この原稿載置台４には原稿Ｄ１の搬送方向と直交する幅方向にスライド可能なスライダ４ａが設けられている。そして、このスライダ４ａにより原稿載置台４上に載置された原稿Ｄ１の両端を揃えることができる。
【００１８】
画像読取部１６は、不図示の密着型イメージセンサ、光源等を備えている。ここで、密着型イメージセンサは、光源としてのＬＥＤアレイから載置原稿Ｄ２の画像情報面に光を照射し、反射した反射光をセルフォックレンズ（商標）で画像読取素子であるセンサ素子に結像して画像情報を読取るものである。なお、このような密着型イメージセンサを備えた画像読取部１６は、図２の矢印で示す左右方向に移動可能となっている。
【００１９】
そして、図３に示すプラテンガラス６上の一側部に設けられた突き当て部材２５に突き当ててセットされた載置原稿Ｄ２の画像を読み取る固定読みの際は、光源からの光を原稿に当てながら図中の右側に移動することにより、原稿画像を読み取るようになっている。また、画像読取部１６は、原稿読取搬送部５により搬送される原稿Ｄ１を流し読みにて読み取る場合は、図２に示すプラテンガラス６の一側部の下方位置で固定され、搬送されてくる原稿Ｄ１を読み取る構成となっている。
【００２０】
原稿読取搬送部５は、原稿載置台４に載置された原稿Ｄ１を送り出すピックアップローラ８、ピックアップローラ８により送り出された原稿Ｄ１を分離する分離パット９を備えている。また、分離パット９により１枚ずつ分離された原稿Ｄ１を搬送し、プラテンガラス６の一側部側の下方に固定された画像読取部１６の上方を通過させる搬送ローラ１３を備えている。
【００２１】
なお、図２において、７は搬送ローラ１３の円弧と同一形状の略Ｕ字状の原稿搬送路（以下、Ｕターンパスという）である。このＵターンパス７には、ピックアップローラ８に当接している予備搬送部材１０、原稿Ｄ１の有無を検出する原稿有無センサ１１、排紙ローラ１４及び原稿Ｄ１の先端部及び後端部を検出する原稿エッジセンサ１５等が配置されている。
【００２２】
このような原稿読取搬送部５を備えた圧板ユニット１において、原稿画像を流し読みにて読み取る場合、操作者により原稿Ｄ１が原稿載置台４に読取画像面を上側にしてセットされると、原稿有無センサ１１が原稿有りを検知する。次に、操作者が操作部１２から読取開始を指示すると、ピックアップローラ８が回転し、これに伴い予備搬送部材１０によりピックアップローラ８に当接している原稿Ｄ１がピックアップローラ８と分離パット９により１枚ずつに分離されて搬送される。この後、分離された原稿Ｄ１は搬送ローラ１３によって、Ｕターンパス７に沿って搬送され、さらに停止している画像読取部１６により画像を読み取る原稿読取位置へと搬送される。なお、以下の説明においては、このようにプラテンガラス６の一側部の下方に設けられた画像読取部１６の上方を搬送される原稿を搬送原稿という。
【００２３】
この後、原稿エッジセンサ１５により搬送原稿Ｄ１の先端部が検知されると、その位置から所定量搬送されたところで、画像読取部１６による画像情報の読み取りが開始される。ここで、圧板ユニット１の画像読取部１６に対応する位置には、図２に示すように原稿を画像読取部側へ押圧する白色の押圧部材２０が設けられている。この押圧部材２０により、画像を読み取る際、搬送原稿Ｄ１はプラテンガラス６から離れる方向への動きを規制されながら、搬送ローラ１３により、画像読取部１６が下方で固定されているプラテンガラス６上の搬送画像読取位置を通過する。
【００２４】
そして、このように搬送画像読取位置を通過する際、画像が読み取られた原稿は、先端が下流側ガイド部材１９によりすくい上げられ、排紙ローラ対１４（図２参照）に向かって案内される。この後、原稿エッジセンサ１５により搬送原稿Ｄ１の後端部が検知されると、その位置から所定量搬送されたところで、画像読取部１６による画像情報の読み取り（流し読み）を終了する。
【００２５】
次に、画像が読み取られた搬送原稿Ｄ１は、排紙ローラ対１４により圧板ユニット１の上面へと排出される。そして、圧板ユニット１では、原稿有無センサ１１が原稿無しを検知するまで、上述した読取動作を繰り返す。なお、この画像読取装置５０は、固定読みを行う際は、圧板ユニット１により原稿をプラテンガラス６に密着させ、この状態で画像読取部１６を走査させることにより原稿画像を読み取る。
【００２６】
ここで、押圧部材２０とプラテンガラス６との間には、下流側ガイド部材１９へ搬送原稿Ｄ１を受け渡すための透明フィルム部材１８が設けられている。このため、搬送原稿Ｄ１の画像は、プラテンガラス６と透明フィルム部材１８を介して、読み取られる。また、この搬送原稿Ｄ１を下方より支持して下流側ガイド部材１９に案内する透明フィルム部材１８は、原稿搬送方向上流側端が画像読取部１６よりも原稿搬送方向上流側に延在し、原稿搬送方向下流側端が下流側ガイド部材上に位置するように設けられている。なお、透明フィルム部材１８は、上下方向のたわみ量を可変にするため、原稿搬送方向下流側端は下流側ガイド部材１９に対して移動可能に保持されている。
【００２７】
この構成により、プラテンガラス６上に搬送原稿Ｄ１の搬送パスを形成する必要がなく、圧板ユニット１内で搬送原稿のパスが完了しているため、載置原稿Ｄ２は図４に示す突き当て部材２５に突き当てて読取を行うことが可能となる。つまり、載置原稿Ｄ２の読取範囲内に、搬送原稿Ｄ１の読取位置を設けることができ、装置の幅を大幅に縮小することが可能となる。なお、本実施の形態において、突き当て部材２５は、上下方向に移動可能に設けられており、通常は、付勢部材２７により付勢され、プラテンガラス６の一側端において、載置原稿Ｄ２と突き当たる位置に突出している。
【００２８】
ところで、プラテンガラス６上の載置原稿Ｄ２を固定読みにて読み取った後、ユーザーが載置原稿Ｄ２をプラテンガラス６の上に残したまま搬送原稿Ｄ１の読取を開始してしまう場合がある。この場合、搬送原稿Ｄ１は、取り忘れられた載置原稿Ｄ２がプラテンガラス６と透明なシート部材１８の間に位置した状態で、押圧部材２０と透明なシート部材１８の間を通過する。この場合、搬送原稿Ｄ１は、取り忘れられた載置原稿Ｄ２により遮られるため、画像読取部１６（の密着イメージセンサ）は搬送原稿Ｄ１の画像情報を読取ることが出来ず、載置原稿Ｄ２の画像情報を搬送原稿Ｄ１の画像情報として読取ってしまう。
【００２９】
そこで、本実施の形態においては、図４に示すように、白地板２の突き当て部材側端の底面に、プラテンガラス上を摺動し、プラテンガラス６上の取り忘れられた載置原稿Ｄ２を搬送原稿読取り領域外に移動させるための移動部材２６を設けている。ここで、移動部材２６は、取り忘れられた載置原稿Ｄ２との間の摩擦係数が、載置原稿Ｄ２とガラス間の摩擦係数よりも大きくなると共に、プラテンガラス上を摺動する際、プラテンガラス６を汚したり、傷付けたりしないような材質で形成する。なお、本実施の形態においては、プラテンガラス上の取り忘れ原稿を、画像読取部１６による原稿画像の読み取りを妨げない位置に移動させる原稿移動部を構成する移動部材２６として、例えばウールやポリエステルのフェルトなどを用いるようにしている。
【００３０】
また、白地板２はアルミ製の板を白塗装したものやＡＢＳ樹脂等の材質で、１〜３ｍｍ程度の厚さで形成されると共に、白地板２の上面には発砲ウレタンフォーム等の材質からなる白地板押圧部材２１が接着されている。そして、プラテンガラス６上に載置原稿Ｄ２を載置し、圧板ユニット１を閉めたとき、不図示の押圧部材により白地板押圧部材２１を潰すことによって載置原稿Ｄ２をプラテンガラス６へ押し付け、載置原稿Ｄ２を移動しないように固定する。
【００３１】
この白地板押圧部材２１は、白地板支持台２２に接着されている。なお、この白地板支持台２２には、搬送原稿の搬送方向と直交する方向に延びたスライド軸２２Ｒが２箇所設けられている。そして、このスライド軸２２Ｒは、圧板ユニット１のフレーム１Ｆに設けられ、搬送原稿の搬送方向に延びた溝１Ｈに係止されるようになっている。また、白地板支持台２２の上面にはピニオン部２２Ｐが設けられ、ピニオン部２２Ｐの上方には、ピニオン部２２Ｐに係合するギア２３及びギアを駆動する後述する図５に示す正逆転可能な駆動モータＭが設けられている。
【００３２】
そして、このように構成することにより、駆動モータＭを正逆転させると、ギア２３及びピニオン部２２Ｐにより白地板支持台２２が、スライド軸２２Ｒをフレーム１Ｆに設けられた溝１Ｈにガイドされながら搬送原稿の搬送方向に往復移動する。そして、このような駆動モータＭ、ギア２３及びピニオン部２２Ｐにより、載置原稿Ｄ２の画像を読み取る際には、白地板２を、載置原稿Ｄ２を押さえる第１位置に移動させる。また、搬送原稿Ｄ１を読取る際、白地板２を、プラテンガラス６の一側部の下方に移動した画像読取部１６による原稿画像の読み取りが可能な第２位置に移動させる。つまり、本実施の形態においては、駆動モータＭと、ギア２３と、ピニオン部２２Ｐにより、載置原稿Ｄ２の画像を読み取る際には、白地板２を第１位置に移動させ、搬送原稿Ｄ１を読取る際には、第２位置に移動させる原稿押さえ部材移動部２４が構成される。
【００３３】
図５は本実施の形態に係る画像読取装置５０の制御ブロック図である。図５において、７０は制御部であり、この制御部７０には画像読取部１６、画像読取部１６をプラテンガラス６に沿って移動させる移動部を構成する駆動部７１が接続されている。また、この制御部７０には、画像読取部１６を、図４に示す流し読みの際のホームポジションに位置させるホームポジションセンサ７２が接続されている。さらに、この制御部７０には、原稿有無センサ１１が接続されている。そして、流し読みの際、画像読取部１６に設けられた原稿有無センサ１１により原稿トレイ４に搬送原稿Ｄ１が載置されたことを検知すると、制御部７０は、駆動モータＭを駆動するようにしている。
【００３４】
ところで、白地板２の移動方向と直交する幅方向の長さは載置原稿Ｄ２の幅方向の長さよりも長くなっている。そして、図６に示すように、白地板２の、載置原稿Ｄ２から外れる突き当て部材側端部の幅方向の両端部には、凸部２Ｔが突設されている。また、突き当て部材２５の幅方向の両端には、白地板２の凸部２Ｔに相対する位置にテーパ面Ａと、一段高くなった段部Ｂを有する当接部２５ａが設けられている。
【００３５】
ここで、既述したように、突き当て部材２５は、付勢部材２７により付勢されて載置原稿Ｄ２が突き当てられて載置原稿Ｄ２の位置を規制する位置に突出している。この付勢部材２７の付勢力は、白地板２を押圧する不図示の押圧部材の押圧力よりも小さく設定されている。また、固定読みの際、白地板２は、原稿押さえ部材移動部２４により、矢印Ａ方向へ移動するようになっている。そして、このように矢印Ａ方向へ移動すると、やがて白地板２が突き当て部材２５に達し、この後、凸部２Ｔが滑らかに当接部２５ａの段部Ｂに乗り上げながら、突き当て部材２５を下方へ押し下げるようになる。
【００３６】
そして、このように固定読みの際、突き当て部材２５を押下げることにより、移動部材２６が突き当て部材２５に当接することなく、図４に示すように突き当て部材２５の上方、あるいは突き当て部材２５の上面に接する位置に移動することができる。ここで、このような位置に移動部材２６が達することにより、固定読みの際、移動部材２６により、画像読取部１６による画像読取が妨げられるのを防ぐことができる。
【００３７】
また、例えば圧板ユニット１が開かれたとき、白地板２は、移動部材２６が突き当て部材２５の上方に位置する位置に移動している。これにより、固定読みの際、圧板ユニット１を開いて原稿を載置した後、圧板ユニット１を閉じると、白地板２の凸部２Ｔにより突き当て部材２５が押下げられ、この結果、移動部材２６が突き当て部材２５の上方に位置するようになる。なお、このように移動部材２６が突き当て部材２５の上方に位置することにより、突き当て部材２５が押下げられた場合でも、載置原稿Ｄ２の位置は移動部材２６により規制される。
【００３８】
次に、図７を用いて搬送原稿を読み取る流し読みの際の白地板２の動作について説明する。図７の（ａ）は、載置原稿Ｄ２を読取る固定読みの際の、白地板２及び移動部材２６、押圧部材２０、突き当て部材２５の状態を示している。このとき、移動部材２６は、白地板２により押下げられた突き当て部材２５の上方に位置している。
【００３９】
次に、流し読みのため、原稿トレイ４に搬送原稿が載置され、これを原稿有無センサ１１が検知すると、制御部７０が駆動モータＭを駆動し、これに伴い図７の（ｂ）に示すようにギア２３及びピニオン部２２Ｐにより白地板支持台２２が矢印ａ方向へ移動する。これにより、白地板２及び移動部材２６も矢印ａ方向へ移動する。
【００４０】
ここで、プラテンガラス上の載置原稿Ｄ２が取り忘れられた状態で流し読みが行われる場合がある。しかし、このように白地板支持台２２と共に白地板２及び移動部材２６が矢印ａ方向へ移動すると、取り忘れ原稿である載置原稿Ｄ２は、予めプラテンガラス上を移動する移動部材２６により、一体的に搬送原稿読取り領域Ｒの外まで移動する。そして、このような位置に白地板２及び移動部材２６が移動すると、押圧部材２０は透明シート材１８を矢印ｂ方向へ押圧し、プラテンガラス面に接触させる。また、突き当て部材２５は、付勢部材２７によって上方向へ移動する。これにより、流し読みの際、搬送原稿の原稿画像を確実に読み取ることができる状態になる。
【００４１】
なお、白地板支持台２２、すなわち白地板２及び移動部材２６の移動量は、移動部材２６と一体的に移動する載置原稿Ｄ２を、確実に搬送原稿読取り領域Ｒの外まで移動させることのできる量である。さらに、白地板支持台２２の移動量を正確に制御するためには不図示の白地板位置センサを設けると良い。
【００４２】
この後、搬送原稿の読み取りが終了すると、あるいは圧板ユニット１を開くと、制御部７０が駆動モータＭを逆転駆動し、これにより図７の（ｃ）に示すように、白地板２及び移動部材２６が矢印ａ’方向へ移動する。このように白地板２が移動すると、押圧部材２０が上方へ持ち上げられ、透明シート材１８とプラテンガラス６の間に白地板２が挿入される。更に、この後、図７の（ａ）に示すように、移動部材２６は静止原稿読取り領域外に退避し、突き当て部材２５の上方に移動する。こうして圧板ユニット１は静止原稿読取り状態になる。
【００４３】
以上説明したように、本実施の形態においては、取り忘れられた載置原稿Ｄ２を、予め移動部材２６により、画像読取部１６による流し読みの際の、原稿画像の読み取りを妨げない位置に移動させるようにしている。これにより、小型化が可能で、かつ原稿の取り忘れによる原稿画像の読取り不良を防止することができる。
【００４４】
次に、本発明の第２実施の形態について説明する。図８は、本実施の形態に係る画像読取装置の要部拡大図である。なお、図８において、既述した図４と同一符号は、同一または相当部分を示している。
【００４５】
３１は原稿搬送部材である駆動ローラ、３２は軸３２Ｐを支点として上下方向に回動すると共に、駆動ローラ３１を回転自在に支持する原稿搬送部材支持部であるリンクである。そして、駆動ローラ３１は、不図示のモータによって回転すると共に、自重または不図示にバネによりプラテンガラス６方向へ付勢されている。ここで、本実施の形態において、白地板２は、固定読みを行う際、載置原稿Ｄ２を押さえる第１位置にある場合には駆動ローラ３１の下方に位置し、流し読みを行う際、読み取りが可能な第２位置にある場合は搬送原稿読取り領域外に位置している。
【００４６】
これにより、駆動ローラ３１は、白地板２が第１位置にある場合は、リンク３２に支持されて白地板２の上面に当接し、白地板２が第２位置にある場合はリンク３２に支持されてプラテンガラス６に接触した状態になる。このように構成することにより、載置原稿Ｄ２を取り忘れた状態で流し読みが行われる際、白地板２が第１位置から第２位置へ移動すると、駆動ローラ３１は、プラテンガラス６上に取り忘れた載置原稿Ｄ２に当接する。
【００４７】
さらに、本実施の形態において、流し読みが行われるとき、原稿が搬送される前に、駆動ローラ３１を、取り忘れた載置原稿Ｄ２を突き当て部材２５から搬送原稿読取り領域外に搬送するのに十分な一定時間だけ回転させるようにしている。これにより、載置原稿Ｄ２を取り忘れた場合でも、予め載置原稿Ｄ２を搬送原稿読取り領域外に移動させることができ、この後の流し読みの際、確実に搬送原稿画像を読み取ることができる。
【００４８】
以上説明したように、本実施の形態では、白地板２にフェルト等の移動部材２６を設ける替わりに、駆動ローラ３１とリンク３２により構成された原稿移動部３３により、取り忘れられた載置原稿Ｄ２を搬送原稿読取り領域外に移動させるようにしている。そして、このようにフェルト等の移動部材２６の替わりに駆動ローラ３１を用いることにより、原稿移動部の耐久性を向上させることができる。
【００４９】
なお、本実施の形態のように構成した場合、取り忘れ原稿がない場合、または原稿を送り切った後、駆動ローラ３１がプラテンガラス６に当接した状態で回転するようになる。ここで、このような駆動ローラ３１の回転により、プラテンガラス表面が汚れる、あるいは駆動ローラ３１が磨耗する等の不具合が発生する場合は、不図示のモータから駆動ローラ軸までの駆動系にトルクリミッタを配置するようにする。なお、このトルクリミッタのトルクは、原稿とプラテンガラスの摩擦力に対しては駆動ローラ３１が回転し、駆動ローラ３１とプラテンガラス間の摩擦力に対しては回転しないトルクに設定する。
【００５０】
次に、本発明の第３の実施の形態について説明する。図９は、本実施の形態に係る画像読取装置の断面図である。なお、図９において、既述した図２と同一符号は、同一または相当部分を示している。
【００５１】
図９において、４１はプラテンガラス６に沿って往復移動可能に設けられると共に、載置原稿を押える原稿押さえ部材である白色のベルト部材である。このベルト部材４１は、載置原稿Ｄ２を押さえる第１位置と、プラテンガラス６の一側部の下方に移動した画像読取部１６による原稿画像の読み取りを妨げない第２位置に移動可能になっている。ここで、このベルト部材４１は、図１０の（ａ）に示すように、その一端が不図示の駆動モータによって正逆回転可能な駆動ローラ４２に固定され、他端はステイ４５に固定されている。なお、本実施の形態において、ベルト部材４１の一端は、図１０の（ｂ）に示すように、駆動ローラ４２の溝部４２Ｓに差し込まれており、ビス４８により駆動ローラ４２に固定されている。
【００５２】
さらに、駆動ローラ４２とステイ４５の間では、固定軸４３と、水平方向に移動可能で、かつ回転可能に支持された移動軸４４に掛けまわされている。ここで、移動軸４４は、その両端を水平方向に移動可能な軸受け４７に支持されると共に、引張りバネ４６により、矢印右方向へ付勢されている。これにより、ベルト部材４１の移動量に対して、移動軸４４の移動量を半分にすることができ、装置の小型化に有効である。
【００５３】
ここで、本実施の形態において、このベルト部材４１の載置原稿Ｄ２との間の摩擦係数を、載置原稿Ｄ２とプラテンガラス間の摩擦係数よりも大きくしている。これにより、ベルト部材４１を第１位置から第２位置へ移動させると、プラテンガラス上の取り忘れ原稿を、画像読取部１６による原稿画像の読み取りを妨げない位置に一体的に移動させることができる。つまり、本実施の形態においては、ベルト部材４１が原稿移動部を構成している。なお、載置原稿Ｄ２とプラテンガラス間の摩擦係数よりも、ベルト部材４１と載置原稿Ｄ２との間の摩擦係数が大きいものとする場合には、ベルト部材４１を例えばポリエステル、ポリウレタン等により形成し、表面をシボ加工して摩擦係数を大きくする。
【００５４】
また、このベルト部材４１の突き当て部材側の端部には光通過部として透明部４１Ｈが形成されている。ここで、この透明部４１Ｈは、ベルト部材４１自身が透明シートの場合はその箇所だけ、マスキングして白色の塗装を行わないようにして形成される。また、ベルト部材４１自身が有色（白色）の場合は、その箇所を切り欠き、透明シート材を接合するようにして形成しても良い。または、ベルト部材４１に切り欠きを形成することにより、光通過部を形成しても良い。なお、ベルト部材４１に切り欠きを形成する場合は、その両端部分を十分に補強することが必要である。
【００５５】
ここで、透明部４１Ｈは、固定読みの際、突き当て部材２５の上方に位置しており、このような位置に透明部４１Ｈが位置することにより、固定読みの際、透明部４１Ｈにより、画像読取部１６による画像読取が妨げられるのを防ぐことができる。一方、流し読みの際は、駆動ローラ４２を回転させ、画像読取部１６に相対する位置に、透明部４１Ｈを移動させる。そして、このように透明部４１Ｈを移動させることにより、この後の流し読みの際、確実に搬送原稿画像を読み取ることができる。
【００５６】
次に、図１１を用いて搬送原稿を読み取る際のベルト部材４１の移動動作について説明する。図１１の（ａ）は、載置原稿Ｄ２を読取る際の状態を示す図である。なお、この状態は、搬送原稿読取り終了時の状態と同じである。このとき、ベルト部材４１の透明部、または切り欠き部４１Ｈは搬送原稿読取り位置よりも左側である突き当て部材２５の上方にあり、載置原稿Ｄ２の裏側は確実にベルト部材４１の白地の箇所が位置するようになっている。また、この際、ベルト部材４１は、既述した第１及び第２の実施の形態の白地板と同様に、背面から発砲ウレタンフォーム等の材質からなる白地板押圧部材２２でプラテンガラスへ押圧されている。
【００５７】
次に、原稿トレイ４に搬送原稿が載置され、原稿有無センサ１１が原稿有りを検知すると、制御部７０が不図示のモータを駆動し、駆動ローラ４２を回転させる。これに伴い、図１１の（ｂ）に示すようにベルト部材４１が矢印ａ方向へ移動する。
【００５８】
ここで、プラテンガラス上に取り忘れられた載置原稿Ｄ２がある場合、この動作によって載置原稿Ｄ２は、ベルト部材４１と共に図中右側の搬送原稿読取り領域外まで移動する。移動後、押圧部材２０は透明シート材１８を矢印ｂ方向へ押圧し、ベルト部材の透明部またはベルト部材の切り欠き部４２Ｈを貫通してプラテンガラス面に接触させる。なお、ベルト部材４１は、その位置を正確に制御するのは不図示のベルト位置検知手段と駆動モータの制御によって可能である。
【００５９】
以上説明したように、本実施の形態においては、白地板２の替わりに移動手段をかねたベルト部材４１を設けた。そして、このように白地板のような剛体ではなく変形可能なベルト部材で白地面を形成することで突き当て部材２５を下方に押し下げる必要がなくなり、構成が簡略化できる。
【００６０】
また、このベルト部材４１の底面に、既述した第１の実施の形態と同様の構成の移動部材を設けても良い。なお、このようにベルト部材４１に移動部材を設ける場合は、ベルト部材４１としては、ペットフィルム等のフィルム部材を用いる。また、この場合、ベルト部材４１及び移動部材は、両者とも白色に塗装する。
【００６１】
さらに、これまでの説明においては、画像読取装置単体について説明したが、画像読取装置により読み取った画像情報に基づいて画像を形成する画像形成部を備えた画像形成装置に設けられる画像読取装置に適用することも当然可能である。
【符号の説明】
【００６２】
１…圧板ユニット、２…白地板、５…原稿読取搬送部、６…プラテンガラス、１６…画像読取部、２０…押圧部材、２２…白地板支持台、２２Ｐ…ピニオン部、２３…ギア、２４…原稿押さえ部材移動部、２５…突き当て部材、２６…移動部材、３１…駆動ローラ、３２…リンク、４１…ベルト部材、４１Ｈ…透明部、５０…画像読取装置、５１…読取ユニット、７０…制御部、Ｄ１…搬送原稿、Ｄ２…載置原稿、Ｍ…駆動モータ
【図１】
2011119816.tif 000003
【図２】
2011119816.tif 000004
【図３】
2011119816.tif 000005
【図４】
2011119816.tif 000006
【図５】
2011119816.tif 000007
【図６】
2011119816.tif 000008
【図７】
2011119816.tif 000009
【図８】
2011119816.tif 000010
【図９】
2011119816.tif 000011
【図１０】
2011119816.tif 000012
【図１１】
2011119816.tif 000013
【図１２】
2011119816.tif 000014